(57)【要約】  本明細書に開示されるのは、ラックマウント型光ファイバースプライスエンクロージャー（１００）である。光ファイバースプライスエンクロージャー（１００）は、２つの対向する側壁部、及び底面を含む本体（１０１）と、この本体（１０１）に取り付けられるカバー（１０２）を備えることができる。また、光ファイバースプライスエンクロージャー（１００）は、本体（１０１）の底面上の２つのガイドレール（１１０）上に配置されるスライド式トレー（１０４）を含むことができる。少なくとも１つの取り外し可能パネル（１０５）は、少なくとも一対のラッチ（１０７、１０８）を介してカバー（１０２）に取り外し可能に取り付けられるため、取り外し可能パネル（１０５）は、カバー（１０２）から取り外し可能であり、スプライストレー（１２１）に対して作業面として機能するように、一定の角度でスライド式トレー（１０４）に取り付けられることができる。
2021528675.tif 000002
【特許請求の範囲】
【請求項１】
ラックマウント型光ファイバースプライスエンクロージャーであって、
２つの対向する側壁部と、底面と、カバーと、を含む本体と、
前記本体の前記底面に取り付けられる２つのガイドレールと、
前記２つのガイドレール上に配置されるスライド式トレーであって、前記スライド式トレーが少なくとも１つのスプライストレーを含む、前記スライド式トレーと、
少なくとも一対のラッチを介して前記カバーに取り外し可能に取り付けられる第一取り外し可能パネルと、
を備え、
前記第一取り外し可能パネルは前記カバーから取り外し可能であり、
前記第一取り外し可能パネルは、前記少なくとも１つのスプライストレーに対して作業面として機能するように一定の角度で前記スライド式トレーに取り付け可能である、
前記ラックマウント型光ファイバースプライスエンクロージャー。
【請求項２】
前記第一取り外し可能パネルは、前記少なくとも１つのスプライストレーの凹部に嵌合する一対のハンドルを含む、請求項１に記載のラックマウント型光ファイバースプライスエンクロージャー。
【請求項３】
前記第一取り外し可能パネルは、前記一対のラッチを前記スライド式トレー中の切欠き部内に摺動させることによって、前記スライド式トレーに取り付けられる、請求項１に記載のラックマウント型光ファイバースプライスエンクロージャー。
【請求項４】
前記少なくとも１つのスプライストレーを直立方向に保持するように前記スライド式トレーに取り付けられるスプライストレーブラケット、
をさらに備える、請求項１に記載のラックマウント型光ファイバースプライスエンクロージャー。
【請求項５】
前記スプライストレーブラケットは、前記少なくとも１つのスプライストレーの取り付けピンを受容する複数のノッチを含む、請求項４に記載のラックマウント型光ファイバースプライスエンクロージャー。
【請求項６】
前記スプライストレーブラケットは、前記少なくとも１つのスプライストレーを適所に固定するように、前記スプライストレーブラケット上の複数のスロットを通してループさせるフックアンドループのストリップを含む、請求項４に記載のラックマウント型光ファイバースプライスエンクロージャー。
【請求項７】
前記スプライストレーブラケットは、複数のスロット付き取り付け孔部を含み、
前記スプライストレーブラケットは、前記スロット付き取り付け孔部を通してつまみねじを挿入することによって、前記スライド式トレーに取り付けられる、
請求項４に記載のラックマウント型光ファイバースプライスエンクロージャー。
【請求項８】
前記スロット付き取り付け孔部は、前記スライド式トレー上の前記スプライストレーブラケットの直線的な再位置決めを可能にする、請求項７に記載のラックマウント型光ファイバースプライスエンクロージャー。
【請求項９】
第二取り外し可能パネル、
をさらに備える、請求項１に記載のラックマウント型光ファイバースプライスエンクロージャー。
【請求項１０】
前記第一取り外し可能パネル及び前記第二取り外し可能パネルは、鍵付きロックをそれぞれ含む、請求項９に記載のラックマウント型光ファイバースプライスエンクロージャー。
【請求項１１】
前記ラックマウント型光ファイバースプライスエンクロージャーに出入りする光ファイバーケーブルのための取り付け位置を提供するように、前記スライド式トレーに取り付けられるケーブルプレート、
をさらに備える、請求項１に記載のラックマウント型光ファイバースプライスエンクロージャー。
【請求項１２】
前記ラックマウント型光ファイバースプライスエンクロージャーに出入りする前記光ファイバーケーブルを固定するように、前記ケーブルプレートに取り付けられる複数のケーブルクリップ、
をさらに備える、請求項１１に記載のラックマウント型光ファイバースプライスエンクロージャー。
【請求項１３】
前記ケーブルプレートは、曲げ半径制御を提供するためにラウンドエッジを含む、請求項１１に記載のラックマウント型光ファイバースプライスエンクロージャー。
【発明の詳細な説明】
【技術分野】
【０００１】
優先権
本出願は、２０１８年２月１５日に出願された米国仮出願第６２／６３１，１６１号の利益を主張するものであり、この内容は参照により本明細書に援用される。
【背景技術】
【０００２】
多心光ファイバーケーブルは、多数のファイバーから作られ得る。これらのファイバーは、個別にすることも、リボンとして配置されることもできる。融着スプライス接続は、多心光ファイバーケーブル（場合によってはデータセンタの建物の外側から入る）からのファイバーを、データセンタ内の他の、多くの場合は少心の、光ファイバーケーブル（機器側のケーブルなど）内のファイバーに接続する効率的な方法である。光ファイバースプライスエンクロージャーを使用して、繊細な融着スプライス接続を収容し、保護することができる。
【発明の概要】
【発明が解決しようとする課題】
【０００３】
本開示は、新しく革新的なラックマウント型光ファイバースプライスエンクロージャーを提供する。
【課題を解決するための手段】
【０００４】
例示的なエンクロージャーは、２つの対向する側壁部、底面、及びカバーを含む本体を備える。本体の底面に取り付けられるのは、２つのガイドレールであり得る。スライド式トレーは、２つのガイドレール上に配置されることができ、この例では、スライド式トレーは、スプライストレーを含むことができる。例示的なエンクロージャーは、一対のラッチによってカバーに取り付けられる第一取り外し可能パネルをさらに含むことができる。例示的なエンクロージャーでは、第一取り外し可能パネルは、カバーから取り外し可能であり、スプライストレーのための作業面として機能するように、ある一定の角度でスライド式トレーに取り付け可能であり得る。
【０００５】
以下の詳細な説明は、図面を参照する。
【図面の簡単な説明】
【０００６】
【図１】例示的な光ファイバースプライスエンクロージャーの図解である。
【図２】図１に示される例示的な光ファイバースプライスエンクロージャーの分解図である。
【図３】エンクロージャーの背面から延出する内部スライド式トレーを含む例示的な光ファイバースプライスエンクロージャーを示す。
【図４】内部スライド式トレーがエンクロージャーの正面から延出している、例示的な光ファイバースプライスエンクロージャーを示す。
【図５】複数のスプライストレーを保持するスプライストレーブラケットの詳細図を示す。
【図６】複数のスプライストレーを保持するスプライストレーブラケットの詳細図を示す。
【図７】例示的な光ファイバースプライスエンクロージャーから取り外された取り外し可能パネルを示す。
【図８】内部スライド式トレーがエンクロージャーの正面から延出している、例示的な光ファイバースプライスエンクロージャーを示す。
【図９】例示的な光ファイバースプライスエンクロージャーから取り外され、スプライストレーのための作業面として使用されている取り外し可能パネルを示す。
【図１０】例示的な光ファイバースプライスエンクロージャーから取り外され、スプライストレーのための作業面として使用されている取り外し可能パネルを示す。
【発明を実施するための形態】
【０００７】
ここで、添付図面への参照がなされる。可能な限り、同一または類似する部分を参照するために、同一の参照符号が図面及び以下の説明で使用される。しかしながら、図面が例示及び説明目的のみのためのものであることを明示的に理解されたい。本明細書においていくつかの実施例が説明されるが、修正、適合、及び他の実施態様が可能である。したがって、以下の詳細な説明は、開示される実施例を限定するものではない。代わりに、開示される実施例の適切な範囲は、添付の特許請求の範囲によって定義され得る。
【０００８】
図１は、例示的なラックマウント型光ファイバースプライスエンクロージャー１００を示す。スプライスエンクロージャー１００は、標準の１９インチラックまたはキャビネットの正面レール３０１に取り付けられるように設計されており、１つ以上の多心光ファイバーケーブル２０１及び機器側光ファイバーケーブル２０３からのファイバーについての接続部として機能する。代替の実施形態では、スプライスエンクロージャー１００は、さまざまなサイズのラックまたはキャビネットに取り付けられるように設計されてもよい。
【０００９】
この例では、多心光ファイバーケーブル２０１は、剛性が高すぎて光ファイバースプライスエンクロージャー１００の内側に配線されることができないため、ブレークアウトボックス（複数可）２００でより小さく、より可撓性の外被付きケーブル２０２にブレークアウトされることができる。多心ケーブル２０１は、外被付きケーブル２０２またはサブユニットの群を含むことができるが、それらの外被は、光ファイバースプライスエンクロージャー１００の内側での急激な曲げには剛性が高すぎる場合もある。したがって、外被をサブユニットからストリップし、外被付きの可撓性ナイロンまたは編組ケーブルと交換することができる。ブレークアウトボックス２００は、ラックまたはキャビネットの背面レール３０２に取り付けられることができる。機器側ケーブル２０３がより多心のケーブル中に束ねられる、またはケーブル管理を改善する場合に、これらのケーブル上でブレークアウトボックス（図示せず）をも利用することができる。
【００１０】
図２は、ラックマウント型光ファイバースプライスエンクロージャー１００の分解図を示す。図２に示されるように、光ファイバースプライスエンクロージャー１００は、２つの対向する側壁部、底面を含む本体１０１、及びねじで本体１０１に取り付けられるカバー１０２から作られ得る。２つのガイドレール１１０は、本体１０１の底面に取り付けられてもよく、スライド式トレー１０４が本体１０１及びカバー１０２によって形成される正面開口部から少なくとも部分的に直線的に前方向に移動することを可能にし得る。さらに、２つのガイドレール１１０は、スライド式トレー１０４が本体１０１及びカバー１０２によって形成される背面から少なくとも部分的に後方向に移動することを可能にし得る。ストップを使用して、組み立てられたときにスライド式トレー１０４が脱落するのを防ぐことができる。
【００１１】
取り外し可能な正面パネル１０５、及び取り外し可能な背面パネル１０６は、正面パネル１０５及び背面パネル１０６を、本体１０１（クリップ／ラッチ１０７）、及び光ファイバーエンクロージャー１００のカバー１０２（クリップ／ラッチ１０８）に取り外し可能に固定するクリップまたはラッチ１０７及び１０８を含むことができる。正面パネル１０５及び背面パネル１０６は、類似または同一であることができ、一方または両方は、さらなる固定のために鍵付きロック１０９を含むことができる。２つの取り付けブラケット１０３によって、光ファイバースプライスエンクロージャー１００を図１の機器レール３０１に取り付けることができる。取り付けブラケット１０３は、複数の貫通孔部のロウを含むことができ、これらの貫通孔部のロウにより、設置者が光ファイバースプライスエンクロージャー１００の正面突出部を制御するために、光ファイバースプライスエンクロージャー１００の正面に対して取り付けブラケット１０３の位置を調整することが可能である。
【００１２】
本体１０１の背面は、最初にアクセスカバー１１１によって覆われることができる、いずれかの側面上にケーブル導入切欠き部を含むことができる。スライド式トレー１０４は、スプライストレーを固定することができるプラットフォームとして機能することができる。スライド式トレー１０４は、光ファイバースプライスの設置または点検のために、エンクロージャー本体の正面または背面からほぼ完全に延出することができる。
【００１３】
図３は、ラックマウント型光ファイバースプライスエンクロージャー１００の背面開口部から延出するスライド式トレー１０４を示す。図３を参照して、例示的なスプライス設置のために、背面パネル１０６（図２に示される）は、光ファイバースプライスエンクロージャー１００から取り外され、スライド式トレー１０４は、本体１０１及びカバー１０２によって形成される背面開口部から少なくとも部分的に引き出される。
【００１４】
アクセスカバー１１１（図２に示される）の１つは、光ファイバースプライスエンクロージャー１００の１つの側面から取り外され、ケーブル導入ブラケット１２０と交換される。ケーブル導入ブラケット１２０は、孔部を含み、これらの孔部中にさまざまなケーブルクリップ２０４が、着信ケーブル２０２及び機器側ケーブル２０３を固定するように設置され得る。ケーブルプレート１２２は、ケーブル２０２及び２０３のための取り付け位置を提供するスライド式トレー１０４に取り付けられてもよい。ケーブル２０２及び２０３は、スライド式トレー１０４上でループし、ケーブルプレート１２２上のケーブルクリップ２０４に固定される。ケーブル導入ブラケット１２０とケーブルプレート１２２との間のケーブル２０２及び２０３の長さは、たるみとして機能し、光ファイバースプライスエンクロージャー１００の背面及び正面からのスライド式トレー１０４の動きに対応するのに十分な長さで配線される。
【００１５】
スプライストレー１２１を取り付けることができるスプライストレーブラケット１３０は、ケーブル２０２及び２０３が光ファイバースプライスエンクロージャー１００に入る側面に応じて、そしてこの側面に対向して、スライド式トレー１０４の左側または右側のいずれかに取り付けられる。つまみねじ１２３をスロット付き取り付け孔部１２４に通して使用し、スプライストレーブラケット１３０をスライド式トレー１０４に取り付け、スライド式トレー１０４上のスプライストレーブラケット１３０の直線的な再位置決めを可能にする。
【００１６】
着信ケーブル２０２及び機器側ケーブル２０３をスプライストレー１２１上で合わせてスプライス接続する。ケーブルプレート１２２の大半径エッジは、ケーブルプレート１２２とスプライストレー１２１との間のケーブル２０２及び２０３についての曲げ半径制御を提供する。全てのケーブル２０２及び２０３を固定するために必要に応じて、追加のケーブルクリップ２０４をケーブルプレート１２２及びケーブル導入ブラケット１２０に追加することと同じ方法を使用して複数のケーブルをスプライス接続することができる。
【００１７】
ケーブルプレート１２２を利用してケーブル２０２及び２０３を垂直方向に編成することは、サービスのためのスプライストレー１２１の今後の取り外しを簡単にするので有益である。さらに、スプライストレー１２１に取り付けられるケーブル２０２及び２０３は、他のスプライストレー１２１と重ならない。スプライス接続作業が完了すると、スライド式トレー１０４は、光ファイバースプライスエンクロージャー１００の内側に押し戻され得、背面パネル１０６は、エンクロージャー１００に再度取り付けられ得る。
【００１８】
図４を参照して、スライド式トレー１０４は、光ファイバースプライスエンクロージャー１００の正面開口部を通して引き出されることもできる。これを行うには、正面パネル１０５（図２に示す）を光ファイバースプライスエンクロージャー１００から取り外してもよい。正面パネル１０５が取り外された状態で、スライド式トレー１０４は、本体１０１及びカバー１０２によって形成される正面開口部を通してエンクロージャー１００から少なくとも部分的に引き出されることができる。スライド式トレー１０４は、エンクロージャー１００中の定位置に戻されることができ、正面パネル１０５は、エンクロージャー１００に再度取り付けられ得る。
【００１９】
図５及び６は、複数のスプライストレー１２１を保持するスプライストレーブラケット１３０の詳細図を示す。図５及び６を参照して、スプライストレーブラケット１３０は、スプライストレー１２１を直立、垂直、または相対的に垂直（垂直に近い）位置に保持する。スプライストレーブラケット１３０は、スプライストレー１２１の取り付けピン１３２を受容するように設計される切欠き部またはノッチ１３１を含む。これにより、スプライストレー１２１がスプライストレー１２１の取り付けピン１３２を中心に回転することが可能である。スプライストレー１２１の回転特性により、使用者はスプライストレー１２１を通じて簡単に仕分けることが可能である。スプライストレー１２１の後方回転は、スプライストレーブラケット１３０の背面上のストッププレート１３３によって制限され、スプライストレー１２１を格納する向きを定める。フックアンドループ１３６のストリップは、スプライストレー１２１を固定して保つためにスプライストレーブラケット１３０のスロット１３４及び１３５を通してループさせる。
【００２０】
図７から図１０は、スプライストレー１２１に対して保持／作業面として使用される取り外し可能な背面パネル１０５の機能を示す。図７から図１０を参照して、取り外し可能な背面パネル１０５の上部ラッチ１０８は、アクセスカバーとして使用される場合、カバー１０２中の切欠き部１１２に留めることができる。また、取り外し可能な背面パネル１０５の上部ラッチ１０８は、スライド式トレー１０４中の背面切欠き部１１３に挿入されるように設計されることができるため、取り外し可能な背面パネル１０５は、一定の角度でスライド式トレー１０４に取り付けられ、スプライストレー１２１についての保持／作業面として機能することができる。取り外し可能な背面パネル１０５の一対のハンドル１１４は、スプライストレー１２１の凹部１１５に嵌合して、スプライストレー１２１を取り外し可能な背面パネル１０５上で静止状態に保つように設計されている。
【００２１】
スライド式トレー１０４の正面は、正面切欠き部１１６も含むため、正面の取り外し可能パネル１０６（図２に示す）も、スライド式トレー１０４を正面開口部から引き出すときに取り外し可能な背面パネル１０５と同様の方式で保持／作業面として使用されることができる。
【００２２】
本開示がいくつかの実施形態を含むが、それらの実施形態が非限定的であり、本発明の範囲内にある代替物、置換物、及び均等物があることに留意されたい。さらに、記載された実施形態は、相互に排他的であると解釈されるべきではない。記載された実施形態は、それらのような組み合わせが許容される場合、潜在的に組み合わせ可能であると代替に理解される必要がある。また、本開示の実施形態を実装する多くの代替的な方式が存在することにも留意されたい。したがって、以下に続くことができる特許請求の範囲は本開示の真の趣旨及び範囲内にあるように、全てのそのような代替物、置換物、及び均等物を含むと解釈されることを意図している。
【符号の説明】
【００２３】
１００  ・・・スプライスエンクロージャー
１０１  ・・・本体
１０２  ・・・カバー
１０４  ・・・スライド式トレー
１０５  ・・・正面パネル
１０６  ・・・背面パネル
１０７、１０８  ・・・クリップ／ラッチ
１０９  ・・・鍵付きロック
１１０  ・・・ガイドレール
１１１  ・・・アクセスカバー
１１２  ・・・切欠き部
１１４  ・・・ハンドル
１１５  ・・・凹部
１１６  ・・・正面切欠き部
１２０  ・・・ケーブル導入ブラケット
１２１  ・・・スプライストレー
１２２  ・・・ケーブルプレート
１３０  ・・・スプライストレーブラケット
１３１  ・・・ノッチ
１３２  ・・・取り付けピン
１３３  ・・・ストッププレート
１３４、１３５  ・・・スロット
１３６  ・・・フックアンドループ
２００  ・・・ブレークアウトボックス
２０１  ・・・多心光ファイバーケーブル
２０２  ・・・外被付きケーブル
２０３  ・・・機器側光ファイバーケーブル
２０４  ・・・ケーブルクリップ
３０１  ・・・正面レール
３０２  ・・・背面レール
【図１】
2021528675.tif 000003
【図２】
2021528675.tif 000004
【図３】
2021528675.tif 000005
【図４】
2021528675.tif 000006
【図５】
2021528675.tif 000007
【図６】
2021528675.tif 000008
【図７】
2021528675.tif 000009
【図８】
2021528675.tif 000010
【図９】
2021528675.tif 000011
【図１０】
2021528675.tif 000012
【国際調査報告】
2021528675.tif 000013
2021528675.tif 000014